(57)【要約】【課題】簡単な構成で振動と騒音を抑えつつ薄型化が図れる空気調和機を提供する。【解決手段】底フレーム２１と、底フレーム２１の裏面側に配置された補強板４０と、底フレーム２１の前面側の配置されたモータ２６を底フレーム２１に固定するための押さえ金具３５とを備える。上記底フレーム２１を補強板４０とモータ押さえ金具３５により挟んで締結部材により一体に固定する。【選択図】図６
2008144998.tif 000002
【特許請求の範囲】
【請求項１】
底フレーム(２１)と、
上記底フレーム(２１)の裏面側に配置された補強板(４０)と、
上記底フレーム(２１)の前面側の配置されたモータ(２６)を上記底フレーム(２１)に固定するための押さえ金具(３５)と
を備え、
上記底フレーム(２１)を上記補強板(４０)と上記押さえ金具(３５)により挟んで締結部材により一体に固定していることを特徴とする空気調和機。
【請求項２】
請求項１に記載の空気調和機において、
上記補強板(４０)に裏面側から前面側に向かって窪んだ補強板側凹部(４０b)を設け、
上記補強板(４０)の上記補強板側凹部(４０b)に対応する上記底フレーム(２１)の位置に、裏面側から前面側に向かって窪んだ底フレーム側凹部(２１c)を設け、
上記補強板側凹部(４０b)と上記底フレーム側凹部(２１c)を重ね合わせた部分で、上記底フレーム(２１)と上記補強板(４０)および上記押さえ金具(３５)を上記締結部材により締結することを特徴とする空気調和機。
【請求項３】
請求項１または２に記載の空気調和機において、
上記補強板(４０)の上部に据付板用フック(４１)を設けたことを特徴とする空気調和機。
【発明の詳細な説明】
【技術分野】
【０００１】
この発明は、空気調和機に関する。
【背景技術】
【０００２】
従来、空気調和機としては、底フレームに形成されたリブを用いてファンモータを底フレームに固定したものがある(例えば、特開平１１−３７５０１号公報(特許文献１)参照)。この空気調和機では、リブによって底フレームの強度を高めて振動,騒音を低減することができる。しかしながら、上記空気調和機では、底フレームにリブを立設するため、奥行きが長くなって薄型化が図れないという問題がある。
【０００３】
また、リブの代わりに板金などによる別部材で補強する空気調和機も考えられるが、別部材をネジなどを用いて固定する手段が必要となり、部品コストや組立工数が増えるという問題がある。
【特許文献１】特開平１１−３７５０１号公報
【発明の開示】
【発明が解決しようとする課題】
【０００４】
そこで、この発明の課題は、簡単な構成で振動と騒音を抑えつつ薄型化が図れる空気調和機を提供することにある。
【課題を解決するための手段】
【０００５】
上記課題を解決するため、この発明の空気調和機は、
底フレームと、
上記底フレームの裏面側に配置された補強板と、
上記底フレームの前面側の配置されたモータを上記底フレームに固定するための押さえ金具と
を備え、
上記底フレームを上記補強板と上記押さえ金具により挟んで締結部材により一体に固定していることを特徴とする。
【０００６】
上記構成の空気調和機によれば、上記底フレームを補強板と押さえ金具により挟んで締結部材により一体に固定することによって、少ない締結部材で補強板と押さえ金具を同じ箇所で締結して、モータを底フレームに固定する。したがって、簡単な構成で効果的な補強ができ、振動と騒音を低減しつつ薄型化が図れる。また、組立が容易にでき、組立工数も少なくできる。
【０００７】
また、一実施形態の空気調和機では、
上記補強板に裏面側から前面側に向かって窪んだ補強板側凹部を設け、
上記補強板の上記補強板側凹部に対応する上記底フレームの位置に、裏面側から前面側に向かって窪んだ底フレーム側凹部を設け、
上記補強板側凹部と上記底フレーム側凹部を重ね合わせた部分で、上記底フレームと上記補強板および上記押さえ金具を上記締結部材により締結する。
【０００８】
上記実施形態によれば、上記補強板に裏面側から前面側に向かって窪んだ補強板側凹部と、補強板の補強板側凹部に対応する底フレームの位置に、裏面側から前面側に向かって窪んだ底フレーム側凹部を重ね合わせた部分で、底フレームと補強板および押さえ金具を締結部材により締結する。この補強板側凹部と底フレーム側凹部との重ね合わせ部分での締結により、モータ取付部分の強度をさらに向上できる。また、上記締結部材の裏面側への突出がないようにすることが可能となり、断熱材が張りやすくなる。
【０００９】
また、一実施形態の空気調和機では、上記補強板の上部に据付板用フックを設けた。
【００１０】
上記実施形態によれば、上記補強板の上部に据付板用フックを設けることによって、この空気調和機を例えば壁面に取り付けた据付板に上記据付板用フックを係合させて固定することが可能となる。したがって、上記補強板は、底フレームの補強と据付板への係合の役割を兼ねることができる。
【発明の効果】
【００１１】
以上より明らかなように、この発明の空気調和機によれば、簡単な構成で振動と騒音を抑えつつ薄型化が図れる空気調和機を実現することができる。
【００１２】
また、一実施形態の空気調和機によれば、補強板に裏面側から前面側に向かって窪んだ補強板側凹部と、補強板の補強板側凹部に対応する底フレームの位置に、裏面側から前面側に向かって窪んだ底フレーム側凹部を重ね合わせた部分で、底フレームと補強板および押さえ金具を締結部材により締結することにより、モータ取付部分の強度をさらに向上できると共に、締結部材の裏面側への突出がないようにすることが可能となり、断熱材が張りやすくなる。
【００１３】
また、一実施形態の空気調和機によれば、補強板の上部に据付板用フックを設けることによって、この空気調和機を例えば壁面に取り付けた据付板に上記据付板用フックを係合させて固定することが可能となり、上記補強板は、底フレームの補強と据付板への取り付けの役割を兼ねることができる。
【発明を実施するための最良の形態】
【００１４】
以下、この発明の空気調和機を図示の実施の形態により詳細に説明する。
【００１５】
図１はこの発明の実施の一形態の空気調和機の床置き型の室内機２０の斜視図を示している。
【００１６】
この空気調和機の室内機２０は、図１に示すように、室内の壁面に後面側が取り付けられる略長方形状の底フレーム２１と、上記底フレーム２１の前面側に取り付けられ、前面に略長方形状の開口部２２cを有する前面グリル２２と、前面グリル２２の開口部２２cを覆うように取り付けられた前面パネル２３とを備えている。
【００１７】
上記前面グリル２２の上部に上側吹出口２２aを設けると共に、前面グリル２２の下部に下側吹出口２２bを設けている。上記前面グリル２２の上側吹出口２２aにフラップ２４を設けている。このフラップ２４は、冷房運転および暖房運転時に回動して、上側吹出口２２aから冷風,温風を前方かつ斜め上方に吹き出すようにし、停止時は、図２に示すように、上側吹出口２２aを覆う。
【００１８】
また、上記前面パネル２３の上側に上側吸込口２３aを設け、前面パネル２３の下側に下側吸込口２３bを設け、さらに前面パネル２３の左右の側面に側方吸込口２３c(図１では右側のみを示す)を設けている。
【００１９】
また、図２は上記空気調和機の室内機２０の断面図を示しており、図２に示すように、底フレーム２１の略中央にモータ２６を固定している。このモータ２６の軸が接続された室内ファン８を、軸が前後方向になるように底フレーム２１に配置している。上記室内ファン８は、前面側から吸い込んだ空気を軸に対して半径方向外向に吹き出すターボファンである。また、上記底フレーム２１に室内ファン８の前面側にベルマウス２７を設けている。そして、上記ベルマウス４の前面側に室内熱交換器５を配置し、その室内熱交換器５の前面側に前面グリル２２を取り付け、その前面グリル２２の前面側に前面パネル２３を取り付けている。上記前面グリル２２の開口部２２aにフィルタ２５を取り付けている。また、上記ベルマウス２７の下部かつ室内熱交換器５の下側には、ドレンパン２８を配置している。
【００２０】
また、前面グリル２２の上側吹き出し通路Ｐ１の上側吹出口２２aに、吹き出し方向を上下方向に制御するフラップ２４を配置している。
【００２１】
一方、前面グリル２２の下側吹き出し通路Ｐ２内に、下側吹出口２２bを開閉するシャッター３０を配置している。このシャッター３０は、底フレーム２１側かつ下側吹き出し通路Ｐ２の下側に設けられた軸３０aを中心に回動し、一点鎖線で示すＡが開状態であり、実線で示すＢが閉状態である。
【００２２】
上記室内ファン８によって前面グリル２２の開口部２２c側から吸い込んだ空気を軸に対して半径方向外向に吹き出すことにより、上側吹き出し通路Ｐ１の上側吹出口２２aから斜め上前方に空気を吹き出す一方、下側吹き出し通路Ｐ２の下側吹出口２２bから前方に空気を吹き出す。
【００２３】
また、図３は上記空気調和機の室内機２０の前面側上方から見た斜視図を示しており、図３において、図２に示す室内ファン８と室内熱交換器５と前面グリル２２と前面パネル２３およびベルマウス２７を取り外した状態を示している。
【００２４】
図３に示すように、底フレーム２１の裏面部に裏面側に窪んだ大径の円形凹部２１aを設け、その円形凹部２１aの略中心に裏面側にさらに窪んだ小径の円形凹部２１bを設けている。上記小径の円形凹部２１bの側壁は、室内ファン８の外周縁を囲うように形成されている。
また、上記大径の円形凹部２１a内かつ小径の円形凹部２１bの外側に、前面側に窪んだ３つの底フレーム側凹部２１cを周方向等間隔に設けている。
【００２５】
上記底フレーム２１の小径の円形凹部２１bにモータ２６の後端部分が嵌合し、そのモータ２６を覆うように、モータ押さえ金具３５を底フレーム２１に３つの底フレーム側凹部２１cを利用して取り付けている。また、上記モータ押さえ金具３５は、底フレーム２１を裏面側から補強板４０で挟むようにして固定される。
【００２６】
なお、上記底フレーム２１の大径の円形凹部２１aに、モータ２６に接続する配線(図示せず)を通す配線用溝部３７を設けている。また、モータ押さえ金具３５は、基部３５aから延びた配線押さえ用足部３６を有し、この配線押さえ用足部３６により配線用溝部３７内に配線を押さえている。これにより、配線が配線用溝部３７内から飛び出して、送風ファン８に接触するのを防止できる。
【００２７】
また、図４は上記空気調和機の室内機２０の裏面側上方から見た斜視図を示している。図４に示すように、底フレーム２１の裏面側に円穴４２を有する補強板４０が固定されている。この補強板４０の円穴４２は、図３に示す小径の円形凹部２１bの後面側への突出部分が嵌り込んでいる。
【００２８】
図５(a)は上記空気調和機の室内機２０の補強板４０の断面図であり、図５(b)は上記補強板４０の正面図を示している(図５(a)は図５(b)のVa−Va線から見た断面図)。
【００２９】
図５(a),図５(b)に示すように、略長方形状の基部４０aに円穴４２を設け、その円穴４２の外側に周方向等間隔に裏面側から前面側に向かって窪んだ３つの補強板側凹部４０bを設けている(図５(a)において左側が裏面側、右側が前面側)。この補強板側凹部４０bの中心に穴６３を夫々設けている。また、基部４０aの上部の一辺から上方に延びて屈曲する据付板用フック４１を設けている。この基部４０aの上部の一辺の中央に穴６４を設けている。また、基部４０aの下部の一辺から下方に延びかつ所定の間隔をあけた２つの爪部４３,４３を設けている。この補強板４０を底フレーム２１に取り付けるとき、基部４０aの下部の爪部４３,４３を底フレーム２１に設けた対向する穴(図示せず)に差し込んだ後、補強板４０の穴６３を利用して、底フレーム２１に補強板４０を取り付ける。
【００３０】
図６は上記空気調和機の室内機２０のモータ２６が取り付けられた要部の断面図を示している。なお、図６の断面は、図３に示す底フレーム２１の裏面部に対して直角でかつ折れ線Ｃを通る２つの平面を破断面としている。
【００３１】
図６に示すように、モータ押さえ金具３５は、カップ形状の基部３５aと、その基部３５aの外周部に設けられたフランジ部３５bと、そのフランジ部３５bから後面側に屈曲して延びる３つの足部３５cと、その足部３５cの先端から底フレーム２１の裏面部の平面に沿って屈曲して延びる固定部３５dとを有している。上記固定部３５dに穴６１を夫々設けている。なお、３つの足部３５cは、フランジ部３５bから周方向等間隔に設けられている。
【００３２】
また、補強板４０に裏面側から前面側に向かって窪んだ３つの補強板側凹部４０bの穴６３に、モータ押さえ金具３５の穴６１が対向している。一方、補強板４０の補強板側凹部４０bに対応する底フレーム２１の位置に、裏面側から前面側に向かって窪んだ３つの底フレーム側凹部２１cを設けている。この底フレーム側凹部２１cにモータ押さえ金具３５の穴６１に対向する穴６２を設けている。
【００３３】
そして、上記補強板側凹部４０bと底フレーム側凹部２１cを重ね合わせた部分で、底フレーム２１と補強板４０およびモータ押さえ金具３５を締結部材の一例としてのタッピングネジ(図示せず)により締結している。これにより、上記底フレーム２１を補強板４０とモータ押さえ金具３５により挟んで一体に固定している。
【００３４】
また、上記底フレーム２１の裏面側(円形凹部２１bを除く)および補強板４０の裏面側に第１断熱材５１を貼り付け、さらにその第１断熱材５１を覆う第２断熱材５２を貼り付けている。
【００３５】
上記構成の空気調和機によれば、底フレーム２１を補強板４０とモータ押さえ金具３５により挟んで締結部材(タッピングネジ等)により一体に固定することによって、少ない締結部材で補強板４０とモータ押さえ金具３５を同じ箇所で締結して、モータ２６を底フレーム２１に固定することができる。したがって、簡単な構成で効果的な補強ができ、振動と騒音を低減しつつ薄型化が図れると共に、組立が容易にでき、組立工数も少なくできる。
【００３６】
また、上記補強板４０に裏面側から前面側に向かって窪んだ補強板側凹部４０bと、補強板４０の補強板側凹部４０bに対応する底フレーム２１の位置に、裏面側から前面側に向かって窪んだ底フレーム側凹部２１cを重ね合わせた部分で、底フレーム２１と補強板４０およびモータ押さえ金具３５を締結部材により締結することにより、モータ取付部分の強度をさらに向上できる。さらに、上記締結部材(タッピングネジ等)の裏面側への突出がないようにすることが可能となり、断熱材が張りやすくなる。
【００３７】
また、上記補強板４０の上部に据付板用フック４１を設けることによって、この空気調和機を例えば壁面に取り付けた据付板(図示せず)に据付板用フック４１を係合させて固定することが可能となる。したがって、上記補強板４０は、底フレーム２１の補強と据付板への取付の役割を兼ねることができる。
【００３８】
上記実施の形態では、前面側から吸い込んだ空気を軸に対して半径方向外向に吹き出すターボファンを室内ファン８に用いた空気調和機について説明したが、送風用のファンはこれに限らず、他の遠心ファン等を用いた空気調和機にこの発明を適用してもよい。
【００３９】
また、上記実施の形態では、室外機と室内機を備えたセパレートタイプの空気調和機について説明したが、他の構成の空気調和機にこの発明を適用してもよい。
【図面の簡単な説明】
【００４０】
【図１】図１はこの発明の実施の一形態の空気調和機の床置き型の室内機の斜視図である。
【図２】図２は上記空気調和機の室内機の断面図である。
【図３】図３は上記空気調和機の室内機の前面側上方から見た斜視図である。
【図４】図４は上記空気調和機の室内機の裏面側上方から見た斜視図である。
【図５】図５(a)は上記空気調和機の室内機の補強板の断面図であり、図５(b)は上記補強板の正面図である。
【図６】図６は上記空気調和機の室内機のモータが取り付けられた要部の断面図である。
【符号の説明】
【００４１】
５…室内熱交換器
８…室内ファン
２０…室内機
２１…底フレーム
２１a…円形凹部
２１b…円形凹部
２１c…底フレーム側凹部
２２…前面グリル
２２a…上側吹出口
２２b…下側吹出口
２２c…開口部
２３…前面パネル
２３a…上側吸込口
２３b…下側吸込口
２３c…側方吸込口
２４…フラップ
２５…フィルタ
２６…モータ
２７…ベルマウス
３０…シャッター
３５…モータ押さえ金具
３５a…基部
３５b…フランジ部
３５c…足部
３５d…固定部
３６…配線押さえ用足部
３７…配線用溝部
４０…補強板
４０a…基部
４０b…補強板側凹部
４１…据付板用フック
４２…円穴
４３,４３…爪部
５１…第１断熱材
５２…第２断熱材
【図１】
2008144998.tif 000003
【図２】
2008144998.tif 000004
【図３】
2008144998.tif 000005
【図４】
2008144998.tif 000006
【図５】
2008144998.tif 000007
【図６】
2008144998.tif 000008